(57)【特許請求の範囲】
【請求項１】
機材（１）を支持する基台部（１１）の下方四隅部に、それぞれ折り畳み自在の支脚（１３，１４）が連結され、両側前後の前記支脚（１３，１４）の下端部が連結杆（１５，１６）で一体化され、該それぞれの連結杆（１５，１６）の両端部に走行輪（１７，１８）が設けられ、前記機材（１）に含まれる格納及び展張可能なブーム（３）を前記基台部（１１）から離れた位置で支持するための、走行輪（２０ｂ）を有するとともに支持高さ調整自在なスタンド（２０）を備えてなることを特徴とする機材支持スタンド構造。
【請求項２】
前記走行輪（１７，１８）が傾倒自在であることを特徴とする請求項１に記載の機材支持スタンド構造。
【請求項３】
前記支脚（１３，１４）の前記走行輪（１７，１８）がロック装置（１９）を有することを特徴とする請求項１又は２に記載の機材支持スタンド構造。
【請求項４】
前記走行輪（１７，１８，２０ｂ）がキャスターであることを特徴とする請求項１，２又は３に記載の機材支持スタンド構造。
【発明の詳細な説明】
【０００１】
【発明の属する技術分野】
本発明は、各種機材が載置される支持スタンド構造に関する。
【０００２】
【従来の技術】
例えば、薬液散布作業に使用されている標準的なブームスプレーヤでも、薬液タンク、積載薬液、その他の機材を含めて約６００Ｋｇもの重量を有し、不使用時及び格納保管時には、その本体の基台部に配設した支持スタンドの下方四角部に設けられた支脚を開いて機体を所定の高さに支持しており、使用時には、農耕用トラクター等の後部等に組み付けた後、前記支脚を作業の邪魔にならないように折り畳んで走行して薬液散布作業を行っている。
【０００３】
【発明が解決しようとする課題】
前記支脚により支持されたブームスプレーヤを、前記農耕用トラクター等の後部に組み付ける場合、従来は、前記支脚により所定高さに支持された前記ブームスプレーヤに対して、前記農耕用トラクター等を後退させることにより行っていた。
【０００４】
したがって、前記農耕用トラクター等への組み付け時には、運転者の他に人手を必要とし、さらに時間を要するものであった。さらにまた、前記農耕用トラクター等から取り外した前記ブームスプレーヤを格納保管場所等へ移動させる場合も、かなりの手数を要するものであった。
【０００５】
本発明は、前記事情に鑑みなされたもので、前記農耕用トラクター等への前記ブームスプレーヤの組み付け、さらに、取り外した前記ブームスプレーヤの格納保管場所等への移動に人手と時間を必要とせず、さらにまた、特に、傾斜地における格納保管、メンテナンス等を安全に行うことができる機材支持スタンドを提供することを目的とする。
【０００６】
【課題を解決するための手段】
請求項１に示す本発明は、機材を支持する基台部の下方四隅部に、それぞれ折り畳み自在の支脚が連結され、両側前後の前記支脚の下端部が連結杆で一体化され、該それぞれの連結杆の両端部に走行輪が設けられ、前記機材に含まれる格納及び展張可能なブームを前記基台部から離れた位置で支持するための、走行輪を有するとともに支持高さ調整自在のスタンドを備えたことを特徴とする機材支持スタンド構造である。
【０００７】
この請求項１の本発明によれば、前記農耕用トラクターを停止させたまま、かなりの重量を有するブームスプレーヤが載置された本発明の機材支持スタンドを、一人で前記農耕用トラクターの後部に移動させて、迅速かつ他に人手を必要とせずに組み付けが可能であり、組み付け完了後は、薬液散布作業の邪魔にならないように前記支脚をそれぞれ内側に折り畳み、走行して薬液散布作業が可能である。その他、前記農耕用トラクター等から取り外したブームスプレーヤの格納保管場所等への移動、その他の移動取扱いが容易である。
【０００９】
さらに、両側前後の前記支脚が前記連結杆により一体化されることにより、前記支持スタンドの安定性及び支脚部の強度が向上させられるとともに、折り畳み時における前記支脚の取扱いが容易となり、さらに、後述する前記走行輪の傾倒自在構造の構成が容易である。
【００１０】
請求項２に示す実施の一形態は、前記それぞれの走行輪が傾倒自在であることを特徴とする。ここで、前記それぞれの走行輪を傾倒させるとは、前記それぞれの走行輪の接地を解除することを意味する。すなわち、前記それぞれの走行輪の接地が解除されることにより、前記支脚下端、又は前記連結杆が直接接地させられることを意味する。
【００１１】
この請求項２の実施の一形態によれば、特に、傾斜地等におけるブームスプレーヤの格納保管、メンテナンス等を安全に行うことができる。すなわち、前記ブームスプレーヤはかなりの重量を有し、該ブームスプレーヤを支持する前記請求項１に記載の機材支持スタンドの支脚下端には、それぞれ走行輪が設けられている。したがって、格納保管、メンテナンス場所等が傾斜している場合には、自然走行防止のための手段を講ずる必要がある。
【００１２】
この請求項２の実施の一形態によれば、前記走行輪の接地を解除することにより、前記支脚下端、または前記連結杆が直接接地させられ、前記支脚下端、又は前記連結杆の接地摩擦により、自然移動のおそれが解消されて、安全が確保される。
【００１３】
請求項３に示す実施の一形態は、前記支脚の前記走行輪がロック装置を有することを特徴とする。この請求項３の実施の一形態においても、前記請求項２と同様に、傾斜地等におけるブームスプレーヤの格納保管、メンテナンス時における安全が確保される。なお、前記ロック装置は、必ずしも前記全ての走行輪に設ける必要はない。
【００１４】
また、請求項４に示す実施の一形態は、前記走行輪が、キャスターであることを特徴としており、機材の移動走行操作が容易となる。
【００１５】
【発明の実施の形態】
以下に、本発明の実施の一形態を図面に基づいて説明する。図１は、本発明の実施の一形態に係る機体支持スタンドの使用状態を示す正面図、図２は、図１の一部省略右側面図、図３は、走行輪の傾倒状態を示す要部正面図、図４は、図１のＩＶ−ＩＶ線の矢視要部拡大断面図、図５は、ブームスプレーヤの全体斜視図である。
【００１６】
ブームスプレーヤ１は、薬液散布作業に使用されるものであり、図５に示すように、散布する薬液を収納する薬液タンク２、該薬液タンク２内に収納された薬液を供給するための薬液ポンプ（図示せず）、該薬液ポンプから供給される薬液を散布するためのブーム３、その他の必要機材から構成され、例えば、農耕用トラクター４の後部に組み付けて使用される。
【００１７】
前記ブーム３は、伸長自在に構成され、その下面に所定間隔をあけて多数の噴射ノズル５を有し、さらに、図５に示す格納状態から、アクチュエータ６を働かせることにより、ヒンジ部７を介して、前記農耕用トラクター４の一側方へ直角に展張可能に構成されている。
【００１８】
さらに、別に設けたアクチュエータ８を働かせることにより、前記農耕用トラクター４の前記一側方に直角に展張させられている前記ブーム３を、支持軸９を中心に１８０度反転回動させて、前記農耕用トラクター４の反対側に伸長及び展張可能に構成されている。
【００１９】
図１には、機材としての前記ブームスプレーヤ１及び支持スタンドＳの正面図が示され、図２には、図１の一部省略右側面図が示されている。図中、１０は、前記農耕用トラクター４との連結部である。
【００２０】
本実施の形態では、前記薬液タンク２、前記ブーム３、その他の前記ブームスプレーヤ１を構成する機材を支持する基台部１１の前後左右下方四角部に、それぞれ上端を機体の前後方向に沿う軸１２で軸支された、機体底面の中央側に向けて折り畳み自在の支脚１３，１３及び１４，１４が設けられる。
【００２１】
本発明では、両側前後の前記支脚１３，１３及び１４，１４の下端部、具体的には、右側前後の支脚１３，１３の下端部及び左側前後の支脚１４，１４の下端部が、中空の連結杆１５及び１６によりそれぞれ一体化される。
【００２２】
前記のごとく、右側前後の前記支脚１３，１３及び左側前後の支脚１４，１４の下端部を前記連結杆１５及び１６で一体化すると、四本の支脚をそれぞれ独立させた場合に比べて、前記支持スタンドＳの安定性及び前記支脚部の強度の向上を図ることができるとともに、折り畳み時等における前記支脚部の取扱いが容易となり、さらに、後述する走行輪１７及び１８の傾倒自在構造の構成が容易となる。
【００２３】
さらに、前記それぞれの支脚１３，１３及び１４，１４の下端に、走行輪１７及び１８が設けられる。本発明では、前記のごとく、右側前後の支脚１３，１３及び左側前後の支脚１４，１４の下端部を、前記連結杆１５及び１６により一体化しているため、前記走行輪１７及び１８は、前記それぞれの連結杆１５及び１６の前後両端部に設けられる。
【００２４】
なお、前記走行輪１７及び１８は、方向自在性を有するキャスター式タイヤで構成することが望ましい。図２において、１９は、それぞれ前記走行輪１７及び１８部に設けられた走行輪制動手段である、それ自体周知の適宜の方式のロック装置、２０は、前記ブーム３を前記基台部１１から離れた位置で支持するためのスタンド、２０ａは、前記スタンド２０による前記ブーム３の支持高さを調整可能とせしめるためのスタンド高調整用ロックピン、２０ｂは、前記スタンド２０の下端に設けられたキャスター式走行輪である。
【００２５】
前記構成の支持スタンドＳは、前記支脚１３，１３及び１４，１４の下端に、前記走行輪１７及び１８を有するため、手押し移動自在である。したがって、その基台部１１上に支持された前記ブームスプレーヤ１を、前記農耕用トラクター４の後部に組み付ける場合には、前記農耕用トラクター４を停止させたまま、一人の作業者が前記ブームスプレーヤ１を載置した前記支持スタンドＳを、前記農耕用トラクター４の後部に移動させることができ、他に人手を必要とせず、組み付けが可能である。
【００２６】
その他、前記農耕用トラクター４から取り外した前記ブームスプレーヤ１の格納保管場所等への移動も他に人手を必要とせず、容易である。
【００２７】
前記本発明の好ましい実施の一形態は、前記支脚１３，１３及び１４，１４の下端に設けられた前記走行輪１７，１７及び１８，１８が傾倒自在に構成される。
【００２８】
本発明では、前記のごとく、右側前後の支脚１３，１３及び左側前後の支脚１４，１４の下端部が、前記連結杆１５及び１６によりそれぞれ一体化され、前記走行輪１７，１７及び１８，１８が直接前記支脚１３，１３及び１４，１４の下端に設けられず、前記連結杆１５及び１６の両端部に設けられている。
【００２９】
したがって、前記走行輪１７，１７及び１８，１８の傾倒自在構成は、前記連結杆１５及び１６の前後両端部に構成される。図示実施の一形態では、前記走行輪１７，１７及び１８，１８の上部支持部１７ａ及び１８ａに、前記連結杆１５及び１６の前後の端部１５ａ及び１６ａを受け入れる円筒体２１及び２２を固着し、図４に示すように、前記円筒体２１及び２２、並びに前記連結杆１５及び１６の前記端部１５ａ，１６ａに、それぞれボルト２３が挿通する適合孔２４及び２５を設け、両適合孔２４及び２５を適合させて、前記ボルト２３を挿通し、ナット２６で抜脱を防止して、前記走行輪１７及び１８の起立状態を保ち、前記支持スタンドＳの手押し走行が可能であるように構成されている。
【００３０】
したがって、例えば、前記支脚１３，１３及び１４，１４が折り畳まれた状態で、前記ナット２６を外して前記ボルト２３を抜き取ることにより、前記走行輪１７，１７及び１８，１８が傾倒自在とさせられ、つぎに、前記支脚１３，１３及び１４，１４を開いてロックし、前記農耕用トラクター４側のリフト機構により下降させると、図３に示すように、前記連結杆１５及び１６が直接地面Ｇに接し、前記支持スタンドＳの自然移動が阻止され、特に、傾斜地等における格納保管、メンテナンス等を安全に行うことができる。
【００３１】
前記支持スタンドＳの自然移動阻止は、前記走行輪１７，１７及び１８，１８に設けられた前記ロック装置１９でも可能であるが、前記走行輪１７，１７及び１８，１８の傾倒により前記連結杆１５及び１６を接地させる方が効果的であり、前記走行輪１７，１７及び１８，１８の地面Ｇへのめり込みも防止でき、安全性が高い。
【００３２】
なお、前記実施の一形態では、前記走行輪１７及び１８の傾倒を個々に行っているが、例えば、前記中空の連結杆１５及び１６の内部に、その内周に接し、その両端が前記連結杆１５及び１６の両端から突出する別の細径のパイプ等を挿通し、該細径のパイプの両端に前記走行輪１７及び１８を一体に設け、前記細径のパイプと前記連結杆１５及び１６に、前記同様の適合孔２４及び２５、並びにボルト２３及びナット２６を配設せしめれば、右側前後の走行輪１７，１７及び左側前後の走行輪１８，１８をそれぞれ同時に傾倒させることができる。
【００３３】
【発明の効果】
本発明によれば、例えば、機材としてのブームスプレーヤの農耕用トラクターへの組み付け、さらに、取り外した前記ブームスプレーヤの格納保管場所への移動に人手と時間を必要とせず、さらにまた、特に、傾斜地における格納保管、メンテナンス等を安全に行うことができる。
【図面の簡単な説明】
【図１】本発明の実施の一形態に係る機材支持スタンドの使用状態を示す正面図である。
【図２】図１の一部省略右側面図である。
【図３】走行輪の傾倒状態を示す要部正面図である。
【図４】図１のＩＶ−ＩＶ線の矢視要部拡大断面図である。
【図５】ブームスプレーヤの全体斜視図である。
【符号の説明】
１      機材（ブームスプレーヤ）
３      ブーム
１１    基台部
１３    （右側前後の）支脚
１４    （左側前後の）支脚
１５    連結杆
１６    連結杆
１７    走行輪
１８    走行輪
１９    ロック装置
２０    スタンド
２０ｂ  走行輪
【図１】
0003842957.tif 000002
【図２】
0003842957.tif 000003
【図３】
0003842957.tif 000004
【図４】
0003842957.tif 000005
【図５】
0003842957.tif 000006